(57)【要約】【課題】照明器具において、連接状態の器具本体の対向間隔を、連接用の部材を変えることなく所望に調整でき、しかも、この連接に用いるビス本数を減らす。【解決手段】照明器具１は、器具本体２、３と連接用部材４とを備える。器具本体２、３は、筐体２１、３１から成り、連接状態で対向する側面に貫通孔６を有する。貫通孔６は、大径孔部６ａと小径孔部６ｂから成る。連接用部材４は、ビス部材４１と、フランジナット４２と、ビス部材４１の頭部とナット４２との間隔を調整する調整ナット４３とを有する。ビス部材４１が小径孔部６ａに支持された状態でビス部材４１とナット４２との締め付けを行うと、ビス部材４１の頭部とフランジナット４２との間に双方の筐体が挟み込まれることにより、器具本体２、３が連接した状態で互いに係止され、また、調整ナット４３により本体２、３同士が連接状態にあるときの対向間隔を調整できる。【選択図】図２
2011134473.tif 000002
【特許請求の範囲】
【請求項１】
光源を収容する箱体状の筐体から成る器具本体同士が連接配置される照明器具であって、
前記器具本体同士を連接するための連接用部材を備え、
前記各器具本体は、連接状態で対向する筐体の側面に連接用の貫通孔を有し、
前記貫通孔は、前記連接用部材が挿通される大径孔部と、この大径孔部と連通し前記連接用部材の胴部のみが挿通される小径孔部とから成り、
前記連接用部材は、
前記小径孔部の径寸法よりも大きく一方の筐体側面の内面に当接される頭部と、該径寸法と同等以下の寸法で前記対向する筐体側面間に亘る胴部とを有するビス部材と、
前記ビス部材の胴部の先端側に螺合され、前記小径孔部の径寸法よりも大きく他方の筐体側面の内面に当接されるフランジナットと、
前記ビス部材の頭部とフランジナットとの間隔を調整する調整部材と、を有し、
前記器具本体同士が連接状態において前記連接用部材は前記貫通孔の小径孔部に支持されることを特徴とする照明器具。
【請求項２】
前記調整部材は、調整ナットと、この調整ナットと前記一方の筐体側面との間に設けられるスペーサ部とで構成されることを特徴とする請求項１に記載の照明器具。
【発明の詳細な説明】
【技術分野】
【０００１】
本発明は、光源を収容する器具本体同士が連接配置される照明器具に関する。
【背景技術】
【０００２】
従来の、この種の照明器具について図６、図７を参照して説明する。これらの図に示すように、照明器具１０１は、ランプＬを収容する長尺な箱体状の筐体から成る器具本体１０２、１０３を有し、各器具本体１０２、１０３がその長手方向に沿って一列になるように配置される。また、照明器具１０１は、器具本体１０２、１０３同士を連接するための部材として、器具本体１０２、１０３の対向する側面間に設けられる角筒形状の継ぎ手１０４と、継ぎ手１０４と各器具本体１０２、１０３とを係止するためのビス１０５及びナット１０６を有している。この照明器具１０１においては、継ぎ手１０４を用いて、各器具本体１０２、１０３がその鍔部分同士で当接するように連接される。また、照明器具１０１は、器具本体１０２、１０３同士が連接された後に、屋内の天井部分に取り付けられる。
【０００３】
しかしながら、上記のような照明器具１０１では、角筒状の継ぎ手１０４が器具本体１０２、１０３の対向する側面間に介在するため、器具本体１０２、１０３の連接状態での対向間隔が変わった場合（例えば、つば部分の寸法変更等による）、その間隔に適したサイズの継ぎ手が必要となる。また、器具本体１０２、１０３毎に連接用のビス１０５（上記では、各器具本体につき２本ずつ）が必要となり、コストアップを招来し、また、組み立てに手間を要する。
【０００４】
また、上記のような照明器具の他の例として、各器具本体の一端に、本体上面と平行な板状の連結部を突設し、この連結部にボルトを挿通して器具本体同士を連結するものがあるが（例えば、特許文献１参照）、このような照明器具では、各器具本体を所望の対向間隔でもって配置することが難しい。
【先行技術文献】
【特許文献】
【０００５】
【特許文献１】特開２０００−２４３１０４号公報
【発明の概要】
【発明が解決しようとする課題】
【０００６】
本発明は、上記問題を解決するためになされたものであり、一種類の連接用部材を用いるだけで、複数の器具本体を連接することができると共に、連接される器具本体を所望の間隔にすることができ、しかも、現場調整も容易な照明器具を提供することを目的とする。
【課題を解決するための手段】
【０００７】
上記目的を達成するために請求項１の発明は、光源を収容する箱体状の筐体から成る器具本体同士が連接配置される照明器具であって、前記器具本体同士を連接するための連接用部材を備え、前記各器具本体は、連接状態で対向する筐体の側面に連接用の貫通孔を有し、前記貫通孔は、前記連接用部材が挿通される大径孔部と、この大径孔部と連通し前記連接用部材の胴部のみが挿通される小径孔部とから成り、前記連接用部材は、前記小径孔部の径寸法よりも大きく一方の筐体側面の内面に当接される頭部と、該径寸法と同等以下の寸法で前記対向する筐体側面間に亘る胴部とを有するビス部材と、前記ビス部材の胴部の先端側に螺合され、前記小径孔部の径寸法よりも大きく他方の筐体側面の内面に当接されるフランジナットと、前記ビス部材の頭部とフランジナットとの間隔を調整する調整部材と、を有し、前記器具本体同士が連接状態において前記連接用部材は前記貫通孔の小径孔部に支持されるものである。
【０００８】
請求項２の発明は、請求項１に記載の発明において、前記調整部材は、調整ナットと、この調整ナットと前記一方の筐体側面との間に設けられるスペーサ部とで構成されるものである。
【発明の効果】
【０００９】
請求項１の発明によれば、ビス部材を双方の筐体の貫通孔に挿入し、その胴部が小径孔部に支持された状態で、ビス部材とフランジナットとを締め付けることにより、ビス部材の頭部とフランジナットとの間に双方の筐体が挟み込まれ、器具本体同士を連接した状態で互いに係止することができる。これにより、従来に比し、少ないビス本数で器具本体を連接することができる。また、調整部材を用いてビス部材の頭部とフランジナットとの間隔を変えることで、連接状態の器具本体の間隔を容易に調整することができるので、連接用部材を複数種用意する必要がなくなり、現場における調整作業も容易なものとなる。
【００１０】
請求項２の発明によれば、スペーサ部が介在することにより、器具本体同士をより確実に連接することができる。
【図面の簡単な説明】
【００１１】
【図１】本発明の第１の実施形態に係る照明器具の分解斜視図。
【図２】（ａ）は上記照明器具の器具本体同士を連接した状態の断面図、（ｂ）は（ａ）の矢視Ｘ方向の側面図。
【図３】（ａ）乃至（ｃ）は上記各器具本体の連接手順を示す図。
【図４】本発明の第２の実施形態に係る照明器具の器具本体同士を連接した状態の断面図、（ｂ）は（ａ）の矢視Ｙ方向の側面図。
【図５】（ａ）乃至（ｃ）は上記各器具本体の連接手順を示す図。
【図６】従来の照明器具の分解斜視図。
【図７】上記照明器具の器具本体同士を連接した状態の断面図。
【発明を実施するための形態】
【００１２】
（第１の実施形態）
本発明の第１の実施形態に係る照明器具について図１乃至図３を参照して説明する。図１、図２は本実施形態に係る照明器具１の構成を示す。照明器具１は、工場やオフィス等の天井部分に設置されるものであり、直管型のランプＬ（光源）を収容する器具本体２、３と、器具本体２、３同士を連接するための連接用部材４とを備えている。ここでは、照明器具１が２台の器具本体を有したものを示しているが、３台以上の器具本体を有したものであってもよい。
【００１３】
器具本体２、３は、下面に開口を有した長尺な箱体状の筐体２１、３１から成り、各筐体２１、３１内には、ランプＬに給電するためのソケット５が設けられている。各筐体２１、３１は、その長手方向に沿って一列になるように設けられ、しかも、開口面側に設けられた鍔部分２１ａ、３１ａ同士が当接するように配置される。各筐体２１、３１は、連接状態で対向する側面に連接用の貫通孔６を有している。この貫通孔６は、連接用部材４が挿通される大径孔部６ａと、この大径孔部６ａと連通し連接用部材４の胴部のみが挿通される小径孔部６ｂとから成る略だるま形状とされ、筐体２１、３１の各側面に２箇所ずつ形成されている。連接用部材４の胴部とは、後述するビス部材４１の胴部である。各筐体２１、２２に形成する貫通孔６の個数は、特に限定されるものでなく、筐体２１、３１の各側面に３箇所以上形成されていてもよい。貫通孔６の小径孔部６ｂは、大径孔部６ａの周縁から下方に凹欠した形状とされており、これにより、連接用部材４がその重みによって小径孔部６ｂに落とし込まれ易くなっている。
【００１４】
連接用部材４は、ビス部材４１と、ビス部材４１の胴部の先端側に螺合されるフランジナット４２と、ビス部材４１の頭部とフランジナット４２との間隔を調整する調整ナット４３（調整部材）とで構成され、器具本体２、３同士が連接状態において貫通孔６の小径孔部６ｂにビス部材４１の胴部が支持される。この連接用部材４は、対向した２組の貫通孔６に対して１つずつ設けられている。ビス部材４１は、その頭部が大径孔部６ａの径寸法ｄ１より小さく、小径孔部６ｂの径寸法ｄ２よりも大きいものとされ、胴部が小径孔部６ｂの径寸法ｄ２と同等以下の寸法とされている。ビス部材４１は、頭部が一方の筐体２１の側面内面に当接され、このとき、胴部が対向する筐体２１、３１側面間に亘るものとなっている。
【００１５】
フランジナット４２は、小径孔部６ｂの径寸法ｄ２よりも大きいものとされ、他方の筐体３１の側面内面に当接される。フランジナット４２は、小径孔部６ｂより大きいものであれば、鍔部を有さない六角ナットであっても構わない。調整ナット４３は、フランジナット４２と同様に径寸法ｄ２よりも大きいものであり、ビス部材４１の胴部に螺合し、他方の筐体３１の側面外面と当接するよう位置決めされる。
【００１６】
上記のように構成された照明器具１の、連接用部材４を用いた器具本体２、３の連接手順について図３を参照して説明する。まず、図３（ａ）に示すように、筐体２１、３１を鍔部分２１ａ、３１ａ同士が当接するように配置し、この状態で設置箇所である天井面等に仮止めしておき、調整ナット４３を組み込んだビス部材４１を、筐体２１の貫通孔６の大径孔部６ａに挿入する。ビス部材４１の挿入は、筐体３１の貫通孔６側から行うことも可能である。次に、図３（ｂ）に示すように、挿入したビス部材４１の胴部を各筐体２１、３１の小径孔部６ｂに落とし込み、ビス部材４１の頭部を筐体２１側面内面に当接させ、その後、調整ナット４３を筐体３１側面の内面に当接するように位置決めする。調整ナット４３は、位置決めした後にビス部材４１と接着固定することが望ましい。次に、図３（ｃ）に示すように、ビス部材４１にフランジナット４２を螺合してビス部材４１とフランジナット４２との締め付けを行い、最後に、連接された各筐体２１、３１を天井面に固定する。
【００１７】
このように本実施形態に係る照明器具１によれば、ビス部材４１を双方の筐体２１、３１の貫通孔６に挿入し、その胴部が小径孔部６ｂに支持された状態で、ビス部材４１とフランジナット４２とを締め付けることにより、ビス部材４１の頭部とフランジナット４２との間に双方の筐体２１、３１が挟み込まれ、器具本体２、３同士を連接した状態で互いに係止することができる。これにより、従来に比し、少ないビス本数で器具本体２、３を連接することができる。また、調整ナット４３を用いてビス部材４１の頭部とフランジナット４２との間隔を変えることで、連接状態の器具本体２、３の間隔を容易に調整することができるので、連接用部材４を複数種用意する必要がなくなり、現場における調整作業も容易なものとなる。また、連結用部材４を筐体２１、３１の貫通孔６に挿入し易くしたので、各器具本体２、３を連接する作業時間を短縮することができる。
【００１８】
（第２の実施形態）
本発明の第２の実施形態に係る照明器具について図４及び図５を参照して説明する。図４は本実施形態に係る照明器具１の構成を示す。照明器具１は、ビス部材４１の頭部とフランジナット４２との間隔を調整する調整部材として、上記同様の調整ナット４３と、この調整ナット４３と一方の筐体２１側面との間に設けられるスペーサ部４４とを有している。スペーサ部４４は、小径孔部６ｂの径寸法ｄ２よりも大きい円筒部材から成り、一端が筐体２１側面の外面に当接され、他端が調整ナット４３と当接される。スペーサ部４４は、器具連接状態での、筐体２１、３２の対向する側面の間隔に応じて、所定の長さ寸法に形成される。ここで、本実施形態においては、筐体２１、３１の鍔部分２１ａ、３１ａが互いに当接するものを示しているが、スペーサ部４４を用いることで、筐体２１、３１同士を当接させることなく、所望の隙間をもって連接させることも可能となる。
【００１９】
上記の照明器具１の器具本体２、３同士の連接手順について図５を参照して説明する。まず、図５（ａ）に示すように、筐体２１、３１を鍔部分２１ａ、３１ａ同士が当接した状態で天井面等に仮止めし、ビス部材４１にスペーサ部４４及び調整ナット４３を組み込んだものを、筐体２１の貫通孔６の大径孔部６ａに挿入する。次に、図５（ｂ）に示すように、ビス部材４１の胴部を、双方の筐体２１、３１の小径孔部６ｂに落とし込み、ビス部材４１の頭部を筐体２１側面内面に当接させ、調整ナット４３とビス部材４１の締め付けを行う。次に、図５（ｃ）に示すように、ビス部材４１にフランジナット４２を螺合してビス部材４１とフランジナット４２との締め付けを行い、最後に、連接された各筐体２１、３１を天井面に固定する。
【００２０】
このように本実施形態に係る照明器具１によれば、調整ナット４３とビス部材４１との締め付けを行うことで、一方の筐体２１側面がビス部材４１の頭部とスペーサ部４４とに緊結され、この状態でフランジナット４２とビス部材４１との締め付けを行うことで他方の筐体３１側面がこれらに緊結されるので、器具本体２、３同士をより確実に連接することができる。
【００２１】
なお、本発明は、上記各種実施形態の構成に限られず、発明の趣旨を変更しない範囲で種々の変形が可能である。例えば、図４に示すスペーサ部４４に代えて、ビス部材４１に螺合するナットを設けて、このナットとビス部材４１との締め付けにより、筐体２１の側面を緊結するようにしてもよい。
【符号の説明】
【００２２】
１  照明器具
Ｌ  ランプ（光源）
２、３  器具本体
２１  筐体（一方の筐体）
３１  筐体（他方の筐体）
４  連接用部材
４１  ビス部材
４２  フランジナット
４３  調整ナット
４４  スペーサ部
６  貫通孔
６ａ  大径孔部
６ｂ  小径孔部
【図１】
2011134473.tif 000003
【図２】
2011134473.tif 000004
【図３】
2011134473.tif 000005
【図４】
2011134473.tif 000006
【図５】
2011134473.tif 000007
【図６】
2011134473.tif 000008
【図７】
2011134473.tif 000009